(57)【特許請求の範囲】
【請求項１】
光コネクタの接合端面を、送り移動される清掃体により拭き取り清掃する光コネクタ清掃工具であって、
前記清掃体の供給および引取りを行う送り機構と、前記送り機構を収容する収容体と、前記収容体から延出する延出部と、前記延出部の先端において前記清掃体を前記接合端面に押し当てるヘッド部材とを有し、
前記延出部は、前記ヘッド部材がそれぞれ挿通される複数の先端筒部と、前記先端筒部が挿通する外筒体と有し、
前記複数の先端筒部は、前記外筒体の先端開口から延出し、
前記先端開口は、これに挿通する前記複数の先端筒部が、互いに接近または離間する方向に移動可能に形成されていることを特徴とする光コネクタ清掃工具。
【請求項２】
前記先端開口は、前記先端筒部の並び方向の内径寸法が、前記複数の先端筒部の並び方向の外径寸法の合計より大きいことを特徴とする請求項１に記載の光コネクタ清掃工具。
【請求項３】
前記外筒体は、前記複数の先端筒部をそれぞれ挿通可能な複数の挿通孔を有し、
前記先端開口は、前記複数の挿通孔の先端側の開口であることを特徴とする請求項１または２に記載の光コネクタ清掃工具。
【請求項４】
前記複数の先端開口は、前記先端筒部の並び方向の内径寸法が、前記先端開口にそれぞれ挿通する先端筒部の並び方向の外径寸法より大きいことを特徴とする請求項３に記載の光コネクタ清掃工具。
【請求項５】
前記先端筒部は、前記先端開口に挿通する部分が断面略矩形とされ、
前記複数の先端開口は、それぞれ前記先端筒部の断面形状に応じた略矩形とされ、一辺どうしが向かい合うように並べて形成されていることを特徴とする請求項３または４に記載の光コネクタ清掃工具。
【請求項６】
前記先端筒部は、先端壁部とその周縁部から延出する筒状壁部とを備え、
前記先端壁部の周縁部には、先端方向に向かって徐々に前記先端筒部の中心軸に近づく方向に傾斜した傾斜面が形成されていることを特徴とする請求項１〜５のうちいずれか１項に記載の光コネクタ清掃工具。
【請求項７】
前記送り機構が、前記清掃体を前記ヘッド部材に供給する供給リールと、前記ヘッド部材を経た前記清掃体を巻き取る巻取リールとを有し、
前記収容体は、前記送り機構に対し前記延出部の延出方向に相対移動可能であり、前記移動によって前記巻取リールを巻取り方向に回転駆動させることにより前記清掃体を送り移動させる駆動部を備えていることを特徴とする請求項１〜６のうちいずれか１項に記載の光コネクタ清掃工具。
【請求項８】
前記延出部に応じた数の回転機構をさらに備え、
前記回転機構は、前記収容体の前記延出部に対する相対移動によって前記ヘッド部材を軸回りに回転させる回転シャフトを備え、
前記回転シャフトは、前記収容体の挿入凸部が挿入されるカム溝を有する回転筒部と、先端に前記ヘッド部材が装着されるガイド筒部とを有し、
前記回転筒部は、前記収容体を相対移動させたときに、前記カム溝に沿う移動により自ら軸回りに回転することによって前記ヘッド部材を軸回りに回転させ、
前記複数の回転機構の回転筒部は、前記延出部の延出方向の位置を違えて配置されていることを特徴とする請求項７に記載の光コネクタ清掃工具。
【発明の詳細な説明】
【技術分野】
【０００１】
本発明は、光コネクタの接合端面を、布などの清掃体によって清掃する光コネクタ清掃工具に関する。
【背景技術】
【０００２】
光コネクタを接続する際には、接合端面に汚れや異物が付着していると、着脱時の損傷や伝送損失の増大などの原因になるため、突き合わせ接続に先だって、接合端面を清掃する必要がある。
光コネクタの接合端面の清掃には、接合端面に布などの清掃体を接触させて汚れ等を拭き取る光コネクタ清掃工具が用いられる（例えば、特許文献１参照）。
前記光コネクタ清掃工具は、光コネクタに挿入される延出部を有し、この延出部の先端で清掃体を光コネクタの接合端面に接触させる。
【先行技術文献】
【特許文献】
【０００３】
【特許文献１】国際公開第２００８／１０８２７８号
【発明の概要】
【発明が解決しようとする課題】
【０００４】
光コネクタ清掃工具の対象としては、複数のコネクタ収容穴を有する光コネクタがある。また、複数の光コネクタが対象となる場合もある。
このように、コネクタ収容穴を複数有する構造の場合には、複数のコネクタ収容穴内の清掃対象物（光プラグ等）をひとつずつ清掃する必要があるため、作業に時間がかかっていた。
本発明は、前記事情に鑑みてなされたもので、コネクタ収容穴を複数有する構造を清掃対象とする場合に作業効率を高めることができる光コネクタ清掃工具の提供を目的としている。
【課題を解決するための手段】
【０００５】
本発明は、光コネクタの接合端面を、送り移動される清掃体により拭き取り清掃する光コネクタ清掃工具であって、前記清掃体の供給および引取りを行う送り機構と、前記送り機構を収容する収容体と、前記収容体から延出する延出部と、前記延出部の先端において前記清掃体を前記接合端面に押し当てるヘッド部材とを有し、前記延出部は、前記ヘッド部材がそれぞれ挿通される複数の先端筒部と、前記先端筒部が挿通する外筒体と有し、前記複数の先端筒部は、前記外筒体の先端開口から延出し、前記先端開口は、これに挿通する前記複数の先端筒部が、互いに接近または離間する方向に移動可能に形成されている光コネクタ清掃工具を提供する。
前記先端開口は、前記先端筒部の並び方向の内径寸法が、前記複数の先端筒部の並び方向の外径寸法の合計より大きいことが好ましい。
本発明は、前記外筒体が、前記複数の先端筒部をそれぞれ挿通可能な複数の挿通孔を有し、前記先端開口が、前記複数の挿通孔の先端側の開口である光コネクタ清掃工具を提供する。
前記複数の先端開口は、前記先端筒部の並び方向の内径寸法が、前記先端開口にそれぞれ挿通する先端筒部の並び方向の外径寸法より大きいことが好ましい。
本発明は、前記先端筒部が、前記先端開口に挿通する部分が断面略矩形とされ、前記複数の先端開口が、それぞれ前記先端筒部の断面形状に応じた略矩形とされ、一辺どうしが向かい合うように並べて形成されている構成を採用できる。
本発明は、前記先端筒部が、先端壁部とその周縁部から延出する筒状壁部とを備え、前記先端壁部の周縁部に、先端方向に向かって徐々に前記先端筒部の中心軸に近づく方向に傾斜した傾斜面が形成されている構成を採用できる。
本発明は、前記送り機構が、前記清掃体を前記ヘッド部材に供給する供給リールと、前記ヘッド部材を経た前記清掃体を巻き取る巻取リールとを有し、前記収容体が、前記送り機構に対し前記延出部の延出方向に相対移動可能であり、前記移動によって前記巻取リールを巻取り方向に回転駆動させることにより前記清掃体を送り移動させる駆動部を備えている構成を採用できる。
本発明は、前記延出部に応じた数の回転機構をさらに備え、前記回転機構が、前記収容体の前記延出部に対する相対移動によって前記ヘッド部材を軸回りに回転させる回転シャフトを備え、前記回転シャフトが、前記収容体の挿入凸部が挿入されるカム溝を有する回転筒部と、先端に前記ヘッド部材が装着されるガイド筒部とを有し、前記回転筒部が、前記収容体を相対移動させたときに、前記カム溝に沿う移動により自ら軸回りに回転することによって前記ヘッド部材を軸回りに回転させ、前記複数の回転機構の回転筒部が、前記延出部の延出方向の位置を違えて配置されている構成を採用できる。
【発明の効果】
【０００６】
本発明によれば、先端筒部が互いに接近または離間する方向に移動可能であるので、光コネクタのコネクタ収容穴の位置によらず、先端筒部がスムーズにコネクタ収容穴に挿入される。
このため、一度の操作で確実に複数の接合端面を清掃することができる。従って、光コネクタを清掃する際の作業効率を高めることができる。
【図面の簡単な説明】
【０００７】
【図１】本発明の光コネクタ清掃工具の一実施形態の斜視図である。
【図２】光コネクタ清掃工具の正面図である。
【図３】光コネクタ清掃工具の断面図である。
【図４】光コネクタ清掃工具を拡大した断面図である。
【図５】押圧体を示す平面図である。
【図６】押圧体を示す斜視図である。
【図７】延出部を示す斜視図である。
【図８】延出部の一部を示す斜視図である。
【図９】外筒体を示す斜視図である。
【図１０】外筒体を示す前面図である。
【図１１】ヘッド部材を示す斜視図である。
【図１２】回転シャフトを示す斜視図である。
【図１３】調整部材を示す斜視図である。
【図１４】回転シャフトおよびその先端に取り付けられたヘッド部材を示す一部断面状態の平面図である。
【図１５】回転シャフトおよびその先端に取り付けられたヘッド部材を示す一部断面状態の側面図である。
【図１６】送り機構を示す分解斜視図である。
【図１７】送り機構の支持体を示す平面図である。
【図１８】光コネクタ清掃工具の使用方法を示す工程図である。
【図１９】前図に続く工程図である。
【図２０】前図に続く工程図である。
【図２１】送り機構の動作を示す工程図であり、（ａ）は通常状態を示す断面図であり、（ｂ）は収容体が前方移動した状態を示す断面図である。
【図２２】ヘッド部材の動作を示す工程図である。
【図２３】前図に続く工程図である。
【図２４】回転シャフトの動作を示す工程図である。
【図２５】前図に続く工程図である。
【図２６】光コネクタ清掃工具の使用方法を示す工程図である。
【図２７】先端筒部の動作を説明する図である。
【図２８】先端筒部の動作を説明する図である。
【図２９】先端筒部の動作を説明する図である。
【図３０】先端筒部の動作を説明する図である。
【図３１】外筒体の他の例を示す前面図である。
【発明を実施するための形態】
【０００８】
以下、本発明の実施形態である光コネクタ清掃工具１（以下、単に「清掃工具」ともいう）を、図面を参照して説明する。
図１〜図４に示すように、清掃工具１は、清掃体２の供給および引取り（巻き取り）を行う送り機構３（図１６参照）と、送り機構３を収容する収容体１１と、収容体１１から延出する延出部２１と、延出部２１の先端において清掃体２を接合端面６１aに押し当てるヘッド部材２３と、ヘッド部材２３を軸回りに回転させる回転機構５（図２４参照）とを備えている。
以下の説明においては、延出部２１の延出方向（図２の左方）を前方といい、その反対方向を後方ということがある。
【０００９】
収容体１１は、筒状のケース部１２と、ケース部１２内にあってケース部１２に対し位置決めされた押圧体１３とを有する。
ケース部１２の前端には、延出部２１が挿通する挿通口１２ａが形成され、ケース部１２の後端には、送り機構３等を出し入れする開口部１２ｂが形成されている。
【００１０】
図５および図６に示すように、押圧体１３は、長板状の基板５３と、基板５３の内面５３ａから基板５３の厚さ方向に突出して形成された挿入凸部５４（５４Ａ、５４Ｂ）と、基板５３の一方の側縁部に内面５３ａ側に突出して形成された厚板部５５（５５Ｂ）と、基板５３の幅方向中央に形成された厚板部５５（５５Ａ）と、基板５３の後端部に形成された押圧部５７と、基板５３の後端部から内面５３ａ側に延出して形成された後端板５８とを備えている。
厚板部５５Ａ、５５Ｂは、基板５３の長さ方向に沿って延在している。なお、基板５３の幅方向とは前後方向に直交する方向である。
【００１１】
厚板部５５Ａの一方の側面（厚板部５５Ｂ側とは反対側の側面）には、鋸歯状のギア受け部５６（５６Ａ）（駆動部）が形成されている。
厚板部５５Ｂの内側面には、鋸歯状のギア受け部５６（５６Ｂ）（駆動部）が形成されている。
ギア受け部５６は、送り機構３に対する押圧体１３の前方移動によって巻取リール３１を巻取り方向に回転駆動させる駆動部であって、基板５３の長手方向に並んだ複数の受け歯部５６ａからなる。
なお、本形態例では、鋸歯状のギア受け部５６が採用されているが、巻取リール３１を駆動させるための構成はこれに限らず、巻取リール３１に回転方向の力を加えることができるものであれば、例えば巻取リール３１の外周縁に当接して摩擦により巻取リール３１に回転方向の力を加えるものなど、他の構成を採用してもよい。
【００１２】
挿入凸部５４は、略円筒状とされ、基板５３の内面５３ａから基板５３の厚さ方向に突出して形成され、その突出高さおよび外径は、回転筒部８２のカム溝８５に挿入可能となるように設定されている。
２つの挿入凸部５４のうち、第１の挿入凸部５４Ａは基板５３の前端部に形成され、後述する第１回転シャフト５２Ａのカム溝８５に挿入可能である。
第２の挿入凸部５４Ｂの前後方向位置（基板５３の長手方向の位置）は第１の挿入凸部５４Ａよりも後方寄りである。第２の挿入凸部５４Ｂは第２回転シャフト５２Ｂのカム溝８５に挿入可能である。
【００１３】
押圧部５７は、付勢手段４０の後端部が当接する押圧板５７ａと、押圧板５７ａの両側縁から前方に延出する側板部５７ｂ、５７ｂと、側板部５７ｂ、５７ｂ間にアーチ状に架け渡された保持板５７ｃとを有し、これらに囲まれた空間に付勢手段４０の後端部を収容することによって、付勢手段４０を位置決めできる。
図示例の押圧板５７ａは、基板５３の後端部に近い位置に、前後方向に対して垂直に形成されている。
【００１４】
図１、図２および図５に示すように、押圧体１３の基板５３の外面５３ｃには、係止突起５３ｂが突出して形成されている。係止突起５３ｂはケース部１２の係止穴１２ｃに係止可能である。
押圧体１３は、係止突起５３ｂが係止穴１２ｃに係止することによってケース部１２に対し位置決めされ、ケース部１２とともに移動するようになる。
【００１５】
図１２に示すように、回転機構５は、軸回りに回転可能な回転シャフト５２を備えている。
回転シャフト５２は、回転筒部８２と、回転筒部８２の前端から前方に延出するガイド筒部８１とを備えている。
回転シャフト５２内には、清掃体２が挿通する挿通孔８３が、ガイド筒部８１の前端から回転筒部８２の後端にわたって形成されている。
ガイド筒部８１は略円筒状に形成され、前端部において挿通孔８３にヘッド部材２３の挿入部９１を挿入できる。ガイド筒部８１の前端部の内面は、平坦に形成された回転止部８４とされている。
【００１６】
回転筒部８２は略円筒状に形成され、その外面には、押圧体１３の挿入凸部５４が挿入されるカム溝８５が形成されている。
カム溝８５は、少なくとも一部が回転筒部８２の軸方向に対し傾斜して形成されている。このため、後述するように、カム溝８５に挿入された挿入凸部５４が前後方向に移動すると、回転筒部８２がカム溝８５に沿って移動することによって、回転シャフト５２は軸回りに回転する。図示例では、カム溝８５は螺旋状に形成されている。
なお、回転機構５には、押圧体１３の挿入凸部５４を含めることもできる。
【００１７】
清掃工具１では、２つの先端筒部１６を有するため、これに応じて回転機構５およびヘッド部材２３もそれぞれ２つ使用される。
図８に示すように、２つの回転シャフト５２は、前後方向の位置を違えて設けられるため、２つの回転シャフト５２のうち第２回転シャフト５２Ｂのガイド筒部８１の先端は、第１回転シャフト５２Ａのガイド筒部８１の先端に比べて後方寄りに位置する。
このため、第２回転シャフト５２Ｂの先端には、ヘッド部材２３の取り付け位置の調整のため、前述の調整部材１０１を設けることが好ましい。
【００１８】
図８および図１３に示すように、調整部材１０１は、挿通孔１０４を有する筒状の本体部１０２と、本体部１０２の後端部１０２ａから延出する挿入部１０３とを備えている。
挿入部１０３は、ヘッド部材２３の挿入部９１と同じ構造とすることができ、回転シャフト５２（５２Ｂ）のガイド筒部８１の先端から挿通孔８３内に挿入可能である。
本体部１０２には係合開口部８１ａが形成されている。
本体部１０２の前端部１０２ｂには、挿通孔１０４内に挿入部９１を挿入することによってヘッド部材２３を装着できる。
調整部材１０１の使用によって、第１先端筒部１６Ａに挿通されるヘッド部材２３と、第２先端筒部１６Ｂに挿通されるヘッド部材２３との前後方向位置を互いに同じとすることができる。
【００１９】
図１１および図１４に示すように、ヘッド部材２３は、ガイド筒部８１の挿通孔８３に挿入可能な挿入部９１と、挿入部９１の前端に形成されたフランジ部９２と、フランジ部９２の前面から前方に延出する略円筒状の先端延出部２８とを備えている。
先端延出部２８の先端面は、清掃体２を接合端面６１ａ（図２６参照）に押し当てる押圧面２４となる。
【００２０】
押圧面２４には、清掃体２が挿通する開口部であるガイド口部２５Ａ、２５Ｂ（ガイド部）が形成されている。
一方のガイド口部２５Ａは、送り機構３からの清掃体２を押圧面２４に導くものであり、他方のガイド口部２５Ｂは、押圧面２４を通過した清掃体２を送り機構３に導くものである。ガイド口部２５Ａ、２５Ｂによって、清掃体２が押圧面２４から外れるのを防ぐことができる。
【００２１】
先端延出部２８の側面には、清掃体２の送り移動をガイドするガイド溝２６Ａ、２６Ｂを形成するのが好ましい。ガイド溝２６Ａ、２６Ｂはフランジ部９２および挿入部９１の側面にも形成されている。
挿入部９１には、ガイド筒部８１に形成された回転止部８４に即した形状の平坦部９３が形成されており、平坦部９３が回転止部８４に沿って配置されるためヘッド部材２３はガイド筒部８１に対して回転しない。図示例では平坦部９３は挿入部９１の一方および他方の面に形成されている。
【００２２】
挿入部９１の一方の平坦部９３の後部には開口部９３ａが形成され、その後縁には前方に延出する弾性片９３ｂが形成され、弾性片９３ｂの先端には、平坦部９３に対し突出する係合爪９３ｃが形成されている。
図１５に示すように、係合爪９３ｃは、ガイド筒部８１に形成された係合開口部８１ａ（係合凹部）の前縁に係止可能であり、係合爪９３ｃが係合開口部８１ａの前縁に係止することでヘッド部材２３の前方移動が規制され、ヘッド部材２３の脱落を防止できる。
【００２３】
図１４〜図１６に示すように、ヘッド部材２３には、供給リール３０から引き出された清掃体２が巻き回されている。
図示例では、清掃体２は、供給リール３０から回転シャフト５２の挿通孔８３を経て、ヘッド部材２３のガイド溝２６Ａ、ガイド口部２５Ａを通って押圧面２４に至る。清掃体２は、押圧面２４からガイド口部２５Ｂ、ガイド溝２６Ｂを経て、ガイド筒部８１および挿通孔８３の内部を通って巻取リール３１に達している。
【００２４】
清掃体２は、特に限定されるものではなく、公知の適当な清浄布（不織布や織布）を糸状（または紐状）、テープ状などに加工したものを採用することができる。例えば、ポリエステルやナイロンなどの極細の繊維で構成されたものが例示できる。
【００２５】
図１４および図１５における符号９４は、ガイド筒部８１の前端とフランジ部９２との間に設けられた付勢手段（例えばコイルスプリングなどのバネ部材）である。付勢手段９４は、ヘッド部材２３を接合端面６１ａに押し当てたときにヘッド部材２３を前方に付勢する。
【００２６】
図１６および図１７に示すように、送り機構３は、清掃体２を巻装した供給リール３０（供給手段）と、使用後の清掃体２を巻き取って回収する巻取リール３１（引取り手段）と、これらを回転自在に支持する支持体３５と、巻取リール３１に装着されるギア３８と、押さえ部３４とを備えている。
【００２７】
支持体３５は、主保持部４１と、主保持部４１の前面側に前方に延出して形成された前側保持部４２とを有する。
主保持部４１は、平面視略矩形の底板４１ａと、底板４１ａの内面に設けられて供給リール３０（３０Ａ、３０Ｂ）を回転自在に支持する供給リール支持軸３２（３２Ａ、３２Ｂ）と、巻取リール３１（３１Ａ、３１Ｂ）を回転自在に支持する巻取リール支持軸３３（３３Ａ、３３Ｂ）と、底板４１ａの両側縁部に形成された側板４１ｂ、４１ｃと、底板４１ａの前端部に形成された前端板４１ｄと、底板４１ａの後端部に形成された後端板４１ｅとを備えている。
【００２８】
両側板４１ｂ、４１ｃ間には、仕切板４１ｆ、４１ｇが形成されている。仕切板４１ｆは、底板４１ａの前部から前後方向の中間位置にかけて側板４１ｂ、４１ｃにほぼ平行に形成されている。仕切板４１ｇは、仕切板４１ｆの後端から側板４１ｃにかけて、仕切板４１ｆに対し垂直に形成されている。
仕切板４１ｆ、４１ｇと側板４１ｃに区画された空間は、第２保持枠部９７Ｂを収容可能である。仕切板４１ｇは、第２保持枠部９７Ｂの後方移動を規制することができる。後端板４１ｅには、清掃体２が通過する通過部４１ｉが形成されている。
前端板４１ｄには、第２保持枠部９７Ｂが通過可能な通過部４１ｈが形成されている。前端板４１ｄは、第１保持枠部９７Ａの後方移動を規制することができる。
【００２９】
後端板４１ｅの後面には、付勢手段４０に挿入されて付勢手段４０を位置決めする保持突起３９が後方に突出して形成されている。
【００３０】
前側保持部４２は、平面視略矩形の底板４２ａと、底板４２ａの両側縁部に形成された側板４２ｂ、４２ｃと、底板４２ａの前端部に形成された前端板４２ｄとを備えている。
側板４２ｂ、４２ｃと、前端板４２ｄと、前端板４１ｄに囲まれた空間は、第１保持枠部９７Ａおよび基枠部９５を収容可能である。
前端板４２ｄには、接続筒部９６が通過可能な通過部４２ｅが形成されている。
前端板４２ｄは、第１保持枠部９７Ａおよび基枠部９５の前方移動を規制することができる。
【００３１】
２つの供給リール支持軸３２（３２Ａ、３２Ｂ）は、底板４１ａの幅方向（前後方向に直交する方向）に位置を違えて形成されている。図示例では、第１供給リール支持軸３２Ａは、幅方向中央よりも第１側板４１ｂ寄りの位置に形成され、第２供給リール支持軸３２Ｂは幅方向中央よりも第２側板４１ｃ寄りの位置に形成されている。
このため、第１供給リール３０Ａと第２供給リール３０Ｂは、幅方向に位置を違えて設置される。
２つの供給リール支持軸３２（３２Ａ、３２Ｂ）は、前後方向の位置も違えて形成されている。図示例では、第１供給リール支持軸３２Ａは第２供給リール支持軸３２Ｂに比べて前方寄りの位置に形成されている。
このため、第１供給リール３０Ａは、第２供給リール３０Ｂよりも前方寄りに配置される。
【００３２】
２つの巻取リール支持軸３３（３３Ａ、３３Ｂ）は、底板４１ａの幅方向（前後方向に直交する方向）に位置を違えて形成されている。図示例では、第１巻取リール支持軸３３Ａは、幅方向中央よりも第１側板４１ｂ寄りの位置に形成され、第２巻取リール支持軸３３Ｂは幅方向中央よりも第２側板４１ｃ寄りの位置に形成されている。
２つの巻取リール支持軸３３（３３Ａ、３３Ｂ）は、前後方向の位置も違えて形成されている。図示例では、第１巻取リール支持軸３３Ａは第２巻取リール支持軸３３Ｂに比べて前方寄りの位置に形成されている。
このため、第１巻取リール３１Ａは、第２巻取リール３１Ｂよりも前方寄りに配置される。
なお、３０ａは供給リール３０の中心軸であり、３１ａは巻取リール３１の中心軸である。
【００３３】
前述のように、供給リール３０Ａ、３０Ｂの前後方向位置が互いに異なる構造によれば、供給リール３０Ａ、３０Ｂを互いに干渉させることなく、その幅方向位置を互いに近づけることができる。また、巻取リール３１Ａ、３１Ｂの前後方向位置が互いに異なる構造によれば、巻取リール３１Ａ、３１Ｂを互いに干渉させることなく、その幅方向位置を互いに近づけることができる。
従って、支持体３５の幅方向寸法を小さくし、清掃工具１の小型化を図ることができる。
【００３４】
底板４１ａには、リール３０、３１の径方向に対し垂直に延出する２つの延出板４５、４５が形成され、延出板４５、４５の先端には、それぞれリール３０、３１に向けて突出する係止爪４５ａ、４５ａが形成されている。延出板４５は弾性的に曲げ変形可能であり、係止爪４５ａはリール３０、３１に対し接近および離間する方向に移動可能である。
【００３５】
押さえ部３４は、リール３０、３１およびギア３８の脱落を防ぐためのもので、前後方向に延出する長板状の本体部３４ａの前端および後端に、リール支持軸３２、３３に嵌合可能な嵌合部３４ｂ、３４ｃが形成されている。
【００３６】
供給リール３０および巻取リール３１は、清掃体２が巻き付けられる胴部４７と、胴部４７の一端に設けられた第１端板４８と、胴部４７の他端に設けられた第２端板４９とを備えている。
第１端板４８の外面には、周方向に沿って配列された複数の係止凹部（図示略）が形成されており、延出板４５の係止爪４５ａが前記係止凹部に係合することにより、リール３０、３１の逆方向回転が阻止される。第２端板４９の外面には、周方向に沿って配列された複数の係止凸部４９ａが形成されている。
リール３０、３１は、胴部４７に支持軸３２、３３を挿通させることによって支持体３５に装着される。
【００３７】
ギア３８は、円板状の基板８７と、基板８７の一方の面に形成された歯車部８８とを有する。基板８７の他方の面には、巻取リール３１の係止凸部４９ａに係止する係止突起８７ａが形成されている。
歯車部８８は、周方向に沿って配列された複数の歯部８８ａを有し、これら歯部８８ａは、押圧体１３のギア受け部５６の受け歯部５６ａに噛み合うように形成されている。
ギア３８は、巻取リール３１の第２端板４９に重ねて設置される。基板８７の係止突起８７ａは第２端板４９の係止凸部４９ａに係止するため、ギア３８の回転に従って巻取リール３１も回転する。
係止突起８７ａは、ギア３８が巻き取り方向とは逆の方向に回転する場合には、係止凸部４９ａには係止しないように形成されている。
【００３８】
図４および図１７に示すように、付勢手段４０は、前方に相対移動した状態の収容体１１を後方に付勢するものであって、コイルスプリングなどのバネ部材が好適である。
付勢手段４０は、支持体３５に反力をとって収容体１１を後方に付勢することができる。具体的には、後端板４１ｅに反力をとって押圧体１３の押圧部５７を後方に付勢することができる。
【００３９】
図７および図８に示すように、延出部２１は、筒体基部１５と、その先端側に設けられた２つの先端筒部１６（１６Ａ、１６Ｂ）と、先端筒部１６を前方に付勢する付勢手段１７と、先端筒部１６が挿通する外筒体１８とを備えている。
【００４０】
筒体基部１５は、基枠部９５と、基枠部９５に形成された２つの保持枠部９７（９７Ａ、９７Ｂ）と、前方に延出する筒状の接続筒部９６とを備えている。
保持枠部９７は、断面矩形の筒状に形成され、その内部に回転シャフト５２の回転筒部８２を収容できる。
保持枠部９７を構成する側板９９のうちひとつである側板９９ａには、前後方向に沿って、押圧体１３の挿入凸部５４が挿入されるスリット１００が形成されている。
【００４１】
２つの保持枠部９７（９７Ａ、９７Ｂ）のうち、第１保持枠部９７Ａは基枠部９５の側部に形成され、第２保持枠部９７Ｂは基枠部９５の後端部から後方に延出して形成されているため、これら２つの保持枠部９７（９７Ａ、９７Ｂ）は、互いに幅方向および前後方向に位置を違えて形成されている。
具体的には、第１保持枠部９７Ａは、第２保持枠部９７Ｂよりも前方寄りに配置されている。
【００４２】
回転筒部８２は、回転させるために必要なトルクを考慮すると細径化が難しいが、清掃工具１では、２つの保持枠部９７（９７Ａ、９７Ｂ）の前後方向位置が異なるため、これら保持枠部９７（９７Ａ、９７Ｂ）に収容された２つの回転筒部８２、８２を互いに干渉させることなく、その幅方向位置を互いに近づけることができる。
従って、筒体基部１５の幅方向の寸法を小さくし、清掃工具１の小型化を図ることができる。
【００４３】
接続筒部９６は、保持枠部９７（９７Ａ、９７Ｂ）に回転筒部８２が収容された回転シャフト５２、５２のガイド筒部８１、８１が挿通可能な筒状とされている。
接続筒部９６は、外筒体１８に後端側から挿入可能であり、接続筒部９６の外面には、外筒体１８に形成された係止開口部１８ａに内面側から嵌合する嵌合爪９６ａが形成されている。
【００４４】
図８に示すように、第２保持枠部９７Ｂは、内側面側が開放された枠状に形成されている。
図示例の第２保持枠部９７Ｂは、３つの側板９９、すなわち外側板９９ｂと、外側板９９ｂの一方の側縁から内方に延出する側板９９ａと、外側板９９ｂの他方の側縁から内方に延出する側板９９ｃとからなる断面略Ｃ字形とされている。
第２保持枠部９７Ｂは、内側面側が開放された形状であるため、内側面側にも側板がある構造に比べて、第２保持枠部９７Ｂ内の回転筒部８２を内方寄りに配置することができる。
従って、筒体基部１５の幅方向の寸法を小さくし、清掃工具１の小型化を図ることができる。
【００４５】
図７および図２２に示すように、先端筒部１６は、円筒状の太径部１９と、その前端から前方に延出する細径部２７とからなる。
細径部２７は、筒状壁部２７ａと、その前端に設けられた先端壁部２７ｂを備えている。図示例では、細径部２７は、略矩形板状の先端壁部２７ｂの周縁部から断面略矩形の筒状壁部２７ａが後方に延出した形状である。
筒状壁部２７ａの先端部は、清掃の対象となる光アダプタ７０のコネクタ収容穴７２（図２６参照）に応じた断面形状を有する。
なお、筒状壁部２７ａの断面形状は、矩形状に限らず、円形、多角形などとしてもよい。
【００４６】
先端壁部２７ｂの周縁部には、先端方向に向かって徐々に先端筒部１６の中心軸Ｃ１に近づく方向に傾斜した傾斜面２７ｄが形成されている。傾斜面２７ｄは、先端筒部１６をコネクタ収容穴７２に挿入する際に、光アダプタ７０の壁部の開口端部７０ｃ（図２６参照）等に当接して先端筒部１６をコネクタ収容穴７２に挿入可能な位置に導くことができる。
図示例では、傾斜面２７ｄは先端壁部２７ｂの全周縁部に形成されているが、これに限らず、先端筒部１６の移動方向に応じた部分にのみ形成してもよい。例えば図１０、図２７、図２８に示す例では、先端筒部１６が左右両方向に移動可能である場合には、先端壁部２７ｂの左辺および右辺にのみ傾斜面２７ｄを形成してもよい。
【００４７】
先端壁部２７ｂには、ヘッド部材２３の先端延出部２８が挿通する挿通口部２７ｃが形成されている。図示例では、挿通口部２７ｃは円筒状の先端延出部２８の断面形状に即した円形とされている。
先端筒部１６は、延出方向（先端方向）およびその反対方向に移動可能である。
【００４８】
図７に示すように、付勢手段１７は、コイルスプリングなどのバネ部材が好適である。
付勢手段１７の後部は接続筒部９６に挿入され、後端部が前記段部（図示略）に当接可能であり、前端部は先端筒部１６の太径部１９の後端部に当接可能である。
【００４９】
図９および図１０に示すように、外筒体１８は、断面外形が概略長円形である筒状体であって、その内部に、第１先端筒部１６Ａが挿通する第１挿通孔６６Ａ（挿通孔６６）と、第２先端筒部１６Ｂが挿通する第２挿通孔６６Ｂ（挿通孔６６）とが形成されている。
第１挿通孔６６Ａと第２挿通孔６６Ｂとは、外筒体１８の先端から後方に向けて所定長さの範囲に形成された隔壁６５によって隔てられている。
図示例の隔壁６５は、略一定厚さの壁部であり、外筒体１８の幅方向（図１０の左右方向）にほぼ垂直に、外筒体１８の長さ方向に沿って、外筒体１８の先端から長さ方向のほぼ中央位置にまで形成されている。
なお、図示例において外筒体１８の幅方向は先端開口２２Ａ、２２Ｂの並び方向である。
【００５０】
図１０に示すように、挿通孔６６Ａ、６６Ｂの先端側の開口部である先端開口２２（２２Ａ、２２Ｂ）の形状は、先端筒部１６Ａ、１６Ｂの断面形状に沿う略矩形とされている。
詳しくは、第１挿通孔６６Ａの先端開口２２Ａの形状は、第１先端開口２２Ａに挿通する部分である先端筒部１６Ａの細径部２７の断面形状に即した略矩形とされている。第２挿通孔６６Ｂの先端開口２２Ｂの形状は、第２先端開口２２Ｂに挿通する部分である先端筒部１６Ｂの細径部２７の断面形状に即した略矩形とされている。
先端開口２２Ａ、２２Ｂは、互いに同じ形状であり、先端開口２２Ａの一つの辺２２Ａ１と、先端開口２２Ｂの一つの辺２２Ｂ１とが向かい合うように並べて形成されている。
【００５１】
図１０、図２７および図２８に示すように、先端開口２２（２２Ａ、２２Ｂ）は、これに挿通する先端筒部１６（１６Ａ、１６Ｂ）が、互いに接近または離間する方向に移動可能となるように形成されている。
詳しくは、先端開口２２Ａの幅ＷＡ１（先端筒部１６の並び方向の内径寸法）は、先端筒部１６Ａの幅ＷＡ２（先端筒部１６の並び方向の外径寸法）より大きくされ、これによって先端筒部１６Ａは、先端開口２２Ａ内で右方（先端筒部１６Ｂに接近する方向）および左方（先端筒部１６Ｂから離間する方向）に移動可能となっている。
同様に、先端開口２２Ｂの幅ＷＢ１は、先端筒部１６Ｂの幅ＷＢ２より大きくされ、これによって先端筒部１６Ｂは、先端開口２２Ｂ内で左方（先端筒部１６Ａに接近する方向）および右方（先端筒部１６Ａから離間する方向）に移動可能である。
先端開口２２の幅、すなわち先端開口２２Ａ、２２Ｂの合計幅（幅ＷＡ１と幅ＷＢ１の合計）は、先端筒部１６Ａ、１６Ｂの合計幅（幅ＷＡ２と幅ＷＢ２の合計）よりも大きくなっている。
先端開口２２の幅（先端開口２２Ａ、２２Ｂの合計幅）と、先端筒部１６Ａ、１６Ｂの合計幅との比（先端開口２２：先端筒部１６）は、例えば１.０５：１以上、１．５：１以下としてよい。
この構成により、先端筒部１６（１６Ａ、１６Ｂ）は、互いの距離を調整可能となる。
【００５２】
図２７、図２８では、先端開口２２（２２Ａ、２２Ｂ）のピッチが、想定される最大および最小のコネクタピッチ（図２９および図３０に示すフェルール６１間の距離Ｌ１）の中間値に設定された場合の例を示しており、コネクタピッチによっては先端筒部２２が互いに接近する方向に移動する場合もあれば（図２７）、互いに離間する方向に移動する場合もある（図２８）。
ただし、先端開口２２（２２Ａ、２２Ｂ）のピッチは想定される最大のコネクタピッチに合わせても良いし、最小のコネクタピッチに合わせても良い。前者の場合は、先端筒部が互いに接近する方向のみ移動することになり、後者の場合は、先端筒部が互いに離間する方向のみ移動することになる。
【００５３】
先端開口２２Ａ、２２Ｂは、辺２２Ａ１と辺２２Ｂ１とを向かい合わせて並べて形成されているため、互いに接近および離間する方向の先端筒部１６Ａ、１６Ｂの移動は、図１０における上辺２２Ａ２、Ｂ２および下辺２２Ａ３、Ｂ３に沿う方向の移動となる。このため、先端筒部１６Ａ、１６Ｂの移動をスムーズにすることができる。
【００５４】
なお、先端筒部１６を３以上使用する場合には、先端開口２２は、隣り合う先端筒部１６、１６が接近または離間する方向に移動可能となるように形成すればよい。
【００５５】
次に、清掃工具１の使用方法の一例を説明する。
図２１（ａ）に示す通常状態では、収容体１１は、延出部２１および送り機構３に対して相対的に比較的後方に位置している。
また、図２２に示すように、付勢手段１７（図７参照）が接続筒部９６に反力をとって先端筒部１６を前方に付勢するため、先端筒部１６は相対的に比較的前方に位置し、先端筒部１６からのヘッド部材２３の突出寸法は小さい。
【００５６】
図１８に示すように、ここでは、コネクタ収容穴７２を２つ有する光コネクタアダプタ７０（コネクタ用位置決めハウジング。以下、単に光アダプタともいう）を対象とする。
図２６に示すように、光アダプタ７０内には、光コネクタプラグ６０（光コネクタ。以下、単に光プラグともいう）が挿入されている。
光プラグ６０は、フェルール６１をスリーブ状のハウジング６２の先端部に収容した構成の光コネクタプラグである。
フェルール６１の接合端面６１ａの中央部には、光ファイバ穴６１ｂ（微細孔）が開口している。光ファイバ穴６１ｂには、光ファイバ６３が挿通しており、光ファイバ６３の先端は接合端面６１ａに露出している。
光ファイバ６３は、例えば光ファイバ心線の先端部の被覆樹脂を除去した光ファイバ裸線であり、光ファイバ６３は、これにより他の光コネクタと突き合わせ接続可能に成端されている。ここでは、円筒状のフェルール６１を例示する。フェルールとしては、周知の単心光フェルール、例えばＬＣ型フェルールなどが使用できる。
【００５７】
光プラグ６０は、光アダプタ７０のコネクタ挿入口７１から挿入されると、挿入方向からずれた方向への変位を規制されつつ、コネクタ収容穴７２に収容される。
光アダプタ７０は、両端から２つの光プラグ６０が挿入されると、フェルール６１同士が突き合わされ、光ファイバ６３同士が光接続されるように構成されている。
符号７３は、光アダプタで一般的に用いられている位置決め用の割りスリーブを示す。
【００５８】
図１８、図１９および図２６に示すように、清掃工具１の収容体１１を把持して、２つの先端筒部１６（１６Ａ、１６Ｂ）をそれぞれ光アダプタ７０のコネクタ挿入口７１、７１からコネクタ収容穴７２、７２に挿入すると、先端筒部１６（１６Ａ、１６Ｂ）は、光アダプタ７０の内壁７０ａにより位置決めされながらコネクタ収容穴７２に進入する。
【００５９】
図２０および図２６に示すように、収容体１１を前方に移動させると、先端筒部１６の先端が光アダプタ７０の壁部７０ｂ等から反力を受けるため、回転シャフト５２およびヘッド部材２３が先端筒部１６に対して相対的に前方移動する。
これによって、図２１（ｂ）および図２３に示すように、ヘッド部材２３の先端延出部２８は先端筒部１６の先端から大きく突出する。
図２６に示すように、押圧面２４上の清掃体２は、光プラグ６０の接合端面６１ａの適切な位置（ここでは、光ファイバ穴６１ｂとその周辺）に当接する。
【００６０】
図２１（ｂ）に示すように、収容体１１にさらに前方への力を加えると、収容体１１は、光アダプタ７０内で前記反力を受ける延出部２１に対して相対的に前方に移動する。
図１６および図１７に示すように、この際、延出部２１の筒体基部１５は、仕切板４１ｇによって後方移動が規制された状態で支持体３５に収容されているため、送り機構３の前後方向位置は大きく変化しない。このため、付勢手段４０は押圧体１３により圧縮され、支持体３５に反力をとって押圧体１３を後方に付勢する状態となる。
【００６１】
図２１（ｂ）、図２４および図２５に示すように、収容体１１の押圧体１３が回転筒部８２に対して相対的に前方移動するため、挿入凸部５４も回転筒部８２のカム溝８５に挿入された状態で前方移動する。このため、回転シャフト５２は軸回りに回転する。
図２６に示すように、回転シャフト５２の回転によって、ヘッド部材２３が軸回りに回転するため、清掃体２は接合端面６１ａに当接した状態のままヘッド部材２３の軸回りに回転し、接合端面６１ａが拭き取り清掃される。
【００６２】
図１６および図２１に示すように、押圧体１３が送り機構３に対し相対的に移動するため、ギア受け部５６によって、ギア３８の歯車部８８に回転方向の力が与えられる。ギア３８の回転によって、巻取リール３１も回転するため、清掃体２が巻き取られる。
これに伴って、清掃体２が供給リール３０から引き出され、ヘッド部材２３の押圧面２４を通って送り移動される。
清掃体２の送り移動によって、接合端面６１ａに付着しているゴミや埃、油分などの汚れが確実に拭き取られる。
【００６３】
延出部２１を光アダプタ７０から引き抜く際には、収容体１１を後方移動させる。
収容体１１に対する延出部２１および送り機構３の前後方向位置は、付勢手段４０の弾性力によって、通常状態（図２１（ａ）に示す状態）に戻る。
また、付勢手段１７の弾性力により回転シャフト５２およびヘッド部材２３が先端筒部１６に対して相対的に後方移動し（図２１（ａ）および図２２参照）、先端筒部１６からのヘッド部材２３の突出寸法は小さくなる。
なお、本明細書において延出方向の相対移動とは、前方移動だけでなく後方移動も含む。
【００６４】
清掃工具１では、上述のように、先端筒部１６Ａ、１６Ｂが、互いに接近または離間する方向に移動可能である。
このため、図２９に示すように、光アダプタ７０の２つのコネクタ収容穴７２内のフェルール６１間の距離Ｌ１（コネクタピッチ）が比較的小さい場合には、２つの先端筒部１６Ａ、１６Ｂをコネクタ収容穴７２、７２に挿入する際に、先端筒部１６Ａ、１６Ｂは、光アダプタ７０の壁部等に押圧されることにより、コネクタ収容穴７２、７２の位置に応じて互いに接近する方向に移動し、それぞれコネクタ収容穴７２、７２に挿入可能となる。
【００６５】
図３０に示すように、光アダプタ７０の２つのコネクタ収容穴７２内のフェルール６１間の距離Ｌ１が比較的大きい場合には、２つの先端筒部１６Ａ、１６Ｂをコネクタ収容穴７２、７２に挿入する際に、先端筒部１６Ａ、１６Ｂは、光アダプタ７０の壁部等に押圧されることにより、コネクタ収容穴７２、７２の位置に応じて互いに離間する方向に移動し、それぞれコネクタ収容穴７２、７２に挿入可能となる。
【００６６】
図２６に示すように、先端筒部１６には傾斜面２７ｄが形成されているため、先端筒部１６をコネクタ収容穴７２に挿入する際には、傾斜面２７ｄが光アダプタ７０の壁部の開口端部７０ｃ等に当接することによって、先端筒部１６は、傾斜面２７ｄの傾斜に従ってコネクタ収容穴７２への挿入に適した位置に導かれる。
このため、作業者が先端筒部１６の位置を調整しなくても、先端筒部１６を容易にコネクタ収容穴７２に挿入させることができる。
【００６７】
このように、清掃工具１では、光アダプタ７０の複数のコネクタ収容穴７２の位置によらず、先端筒部１６Ａ、１６Ｂがスムーズにコネクタ収容穴７２、７２に挿入される。
このため、一度の操作で確実に複数のフェルール６１の接合端面６１ａを清掃することができる。従って、光アダプタ７０を清掃する際の作業効率を高めることができる。
【００６８】
なお、先端筒部１６の数は、２に限らず、３以上の任意の数とすることもできる。先端筒部１６の数を３以上とする場合には、それに応じて回転機構５およびヘッド部材２３の数も先端筒部１６と同数とする。
また、本発明は、複数のコネクタ収容穴を有する光コネクタに限らず、コネクタ収容穴が１つである光コネクタが複数並べられた構造に対しても適用できる。
【００６９】
図１等に示す清掃工具１は、収容体１１の移動により巻取リール３１を回転駆動させて清掃体２を送り移動する構造を採用しているが、清掃体２を送り移動する構造はこれに限定されない。例えば、巻取リールに同軸に固定されたリング状のダイヤル部（図示略）を作業者が手指で回動させることによって巻取リール３１を回転駆動させることができる構造を採用することもできる。また、収容体内に設けたモータにより巻取リールを回転駆動させる構造も可能である。
【００７０】
図１等に示す清掃工具１は、ヘッド部材２３を軸回りに回転させる回転機構５を備えているが、本発明の清掃工具はヘッド部材２３を回転させる構造を備えていなくてもよい。例えば、清掃工具１において、回転筒部８２にカム溝８５が形成されておらず、押圧体１３に挿入凸部５４が形成されていない構造を採用すれば、ヘッド部材２３は軸回りに回転することはない。この場合でも、清掃体２の送り移動がなされれば、光アダプタ７０内のフェルール６１の接合端面６１ａの清掃は可能である。
【００７１】
図１等に示す清掃工具１では、外筒体１８は、２本の先端筒部１６を挿通可能な構造であるが、先端筒部ごとに、これを挿通する外筒体を設けてもよい。例えば、清掃工具１において、外筒体１８に代えて、先端筒部１６Ａを挿通する第１の外筒体と、先端筒部１６Ｂを挿通する第２の外筒体を設けてもよい。
【００７２】
また、図１等に示す清掃工具１では、外筒体１８に２つの挿通孔６６、６６が形成され、挿通孔６６、６６の開口部として２つの先端開口２２が形成されているが、外筒体１８内の挿通孔６６は１つであってもよい。例えば、図１等に示す清掃工具１において、隔壁６５がなく、内部空間全体が１つの挿通孔である外筒体を使用してもよい。この場合には先端開口２２は１つであり、この先端開口２２に２つの先端筒部１６が挿通する。
図３１は、先端開口２２が１つである例を示すもので、先端開口２２の幅Ｗ１を先端筒部１６の幅ＷＡ２、ＷＢ２の合計より大きくすることによって、２つの先端筒部１６は互いに接近または離間する方向に移動可能となる。先端開口２２の幅と、先端筒部１６Ａ、１６Ｂの合計幅との比は、前述のとおりとすることができる。
外筒体の先端開口の形状は、先端筒部が互いに接近または離間する方向に移動可能であれば、略矩形に限らず、例えば円形、長円形など任意の形状としてよい。
【００７３】
本発明は、種々のタイプの光ファイバコネクタに適用することができ、例えば、ＬＣ形光コネクタ（ルーセント社商標）、ＪＩＳ  Ｃ  ５９７３に制定されるＳＣ形光コネクタ（ＳＣ：Ｓｉｎｇｌｅ  ｆｉｂｅｒ  Ｃｏｕｐｌｉｎｇ  ｏｐｔｉｃａｌ  ｆｉｂｅｒ  ｃｏｎｎｅｃｔｏｒ）、ＪＩＳ  Ｃ  ５９８３に制定されるＭＵ形光コネクタ（ＭＵ：ＭｉｎｉａｔｕｒｅーＵｎｉｔ  ｃｏｕｐｌｉｎｇ  ｏｐｔｉｃａｌ  ｆｉｂｅｒ  ｃｏｎｎｅｃｔｏｒ）、ＳＣ２形光コネクタ等の単心光コネクタに適用することができる。ＳＣ２形光コネクタとは、ＳＣ形光コネクタから、ハウジングの外側に装着されるつまみを省略したものである。
【００７４】
図示例では、光アダプタ７０および光プラグ６０を対象としたが、本発明の清掃工具の対象はこれに限定されず、光コネクタレセプタクル（詳細には、レセプタクルハウジング）を、コネクタ用位置決めハウジングとして機能させた構成も採用可能である。
この場合には、スリーブ状のレセプタクルハウジング内に組み込まれたフェルールが本発明に係る光コネクタとして機能する。レセプタクルハウジングの内側空間であるコネクタ収容穴に清掃工具の挿入部を挿入することで、フェルールの接合端面を清掃できる。
【００７５】
また、本発明では、一端側に先端筒部１６の先端が挿入可能であり、他端側に光プラグ６０が挿入可能である略筒状のアタッチメント（図示略）を使用することによって、光アダプタ７０を使用せずに光プラグ６０のフェルール６１の接合端面６１ａを清掃することができる。
前記アタッチメントは、一端側からフェルール６１が挿入可能であり、他端側からヘッド部材２３の先端延出部２８が挿入可能な位置決め筒部を有することが好ましい。位置決め筒部によって、先端延出部２８をフェルール６１に対して精度よく位置決めし、接合端面６１ａを確実に清掃することができる。
【００７６】
本発明は、光コネクタの接合端面を、送り移動される清掃体により拭き取り清掃する光コネクタ清掃工具であって、前記清掃体の供給および引取りを行う送り機構と、前記送り機構を収容する収容体と、前記収容体から延出する延出部と、前記延出部の先端において前記清掃体を前記接合端面に押し当てるヘッド部材と、前記ヘッド部材を軸回りに回転させる回転機構を備え、前記回転機構が、前記収容体の前記延出部に対する相対移動によって前記ヘッド部材を軸回りに回転させる回転シャフトを備え、前記回転シャフトが、前記収容体の挿入凸部が挿入されるカム溝を有する回転筒部と、先端に前記ヘッド部材が装着されるガイド筒部とを有し、前記回転筒部が、前記収容体を相対移動させたときに、前記カム溝に沿う移動により自ら軸回りに回転することによって前記ヘッド部材を軸回りに回転させ、前記複数の回転機構の回転筒部が、前記延出部の延出方向の位置を違えて配置されている構成を採用できる。
この構成を採用する場合には、延出部は、複数の先端筒部とこれらが挿通する外筒体と有し、先端筒部が外筒体の先端開口から延出し、前記先端開口が、複数の先端筒部の互いに接近または離間する方向の移動を許容する構造に限定されない。
【符号の説明】
【００７７】
１・・・光コネクタ清掃工具、２・・・清掃体、３・・・送り機構、５・・・回転機構、１１・・・収容体、１６、１６Ａ、１６Ｂ・・・先端筒部、１８・・・外筒体、２１・・・延出部、２２、２２Ａ、２２Ｂ・・・先端開口、２２Ａ１、２２Ｂ１・・・先端開口の向かい合う辺、２３・・・ヘッド部材、２７ａ・・・筒状壁部、２７ｂ・・・先端壁部、２７ｄ・・・傾斜面、３０・・・供給リール、３１・・・巻取リール、５２・・・回転シャフト、５６・・・ギア受け部（駆動部）、６１ａ・・・接合端面、６６、６６Ａ、６６Ｂ・・・挿通孔、７０・・・光アダプタ（光コネクタ）８１・・・ガイド筒部、８２・・・回転筒部、８５・・・カム溝、Ｃ１・・・先端筒部の中心軸、ＷＡ１、ＷＢ１、Ｗ１・・・先端開口の幅（先端筒部の並び方向の内径寸法）、ＷＡ２、ＷＢ２・・・先端筒部の幅（先端筒部の並び方向の外径寸法）。
【図１】
0005238873.tif 000002
【図２】
0005238873.tif 000003
【図３】
0005238873.tif 000004
【図４】
0005238873.tif 000005
【図５】
0005238873.tif 000006
【図６】
0005238873.tif 000007
【図７】
0005238873.tif 000008
【図８】
0005238873.tif 000009
【図９】
0005238873.tif 000010
【図１０】
0005238873.tif 000011
【図１１】
0005238873.tif 000012
【図１２】
0005238873.tif 000013
【図１３】
0005238873.tif 000014
【図１４】
0005238873.tif 000015
【図１５】
0005238873.tif 000016
【図１６】
0005238873.tif 000017
【図１７】
0005238873.tif 000018
【図１８】
0005238873.tif 000019
【図１９】
0005238873.tif 000020
【図２０】
0005238873.tif 000021
【図２１】
0005238873.tif 000022
【図２２】
0005238873.tif 000023
【図２３】
0005238873.tif 000024
【図２４】
0005238873.tif 000025
【図２５】
0005238873.tif 000026
【図２６】
0005238873.tif 000027
【図２７】
0005238873.tif 000028
【図２８】
0005238873.tif 000029
【図２９】
0005238873.tif 000030
【図３０】
0005238873.tif 000031
【図３１】
0005238873.tif 000032